(57)【要約】【課題】  通信回線の接続、データの閲覧およびその取得を容易にかつ簡便に行うことができる携帯通信端末装置およびその通信システムを提供すること。【解決手段】  通信システムは、ユーザの所望するニュースデータ（以下、単に、ニュースデータという。）の取得を行う携帯通信端末装置と、カテゴリ毎に時間管理されたニュースデータを格納する情報提供用サーバ装置と、から構成され、当該携帯通信端末装置が操作や他の通信端末装置からの着信の待機状態から、操作可能になる通常の動作状態に復帰する際に、各携帯通信端末装置が有する識別番号を用いて当該携帯通信端末装置と情報提供用サーバ装置との通信回線を確立し、情報提供用サーバ装置に格納されているニュースデータを当該携帯通信端末装置に取得させ、ユーザに提供するようになっている。【選択図】  図１
2005197877.tif 000002
【特許請求の範囲】
【請求項１】
当該通信端末装置の起動を検出する検出手段と、
前記検出手段が前記起動を検出した際に、ユーザに配信するための複数の配信データを有する情報提供用サーバ装置との通信回線を確立する確立手段と、
前記情報提供用サーバ装置との通信回線を確立する際に、前記他の通信端末装置との識別を行う予め設定された識別情報を前記情報提供用サーバ装置に送信する識別情報送信手段と、
前記識別情報に基づいて少なくとも何れか一が選択された前記配信データが当該情報提供用サーバ装置から送信された場合に、当該送信された配信データを取得する取得手段と、
を備えたことを特徴とする通信端末装置。
【請求項２】
請求項１に記載の通信端末装置において、
前記検出手段が、当該通信端末装置における操作不能状態から操作可能状態への変化を前記起動として検出することを特徴とする通信端末装置。
【請求項３】
請求項１または２に記載の通信端末装置において、
前記取得手段が、前記配信データの内容を示す内容情報と、前記確立手段における前記情報提供用サーバ装置との通信回線の確立の可否を制御する通信制御情報を少なくとも含む前記配信データを取得することを特徴とする通信端末装置。
【請求項４】
請求項３に記載の通信端末装置において、
前記取得手段が、前記通信制御情報を以前に取得している場合に、
前記取得手段が以前に取得した前記通信制御情報に基づいて、前記確立手段における前記情報提供用サーバ装置との通信回線の確立の可否を判断する判断手段を有することを特徴とする通信端末装置。
【請求項５】
請求項１乃至４の何れか一項に記載の通信端末装置において、
前記取得手段が前記情報提供用サーバ装置との通信回線の確立後に予め設定された時間内に前記配信データを取得しない場合には、前記確立手段が当該情報提供用サーバ装置との通信回線を切断することを特徴とする通信端末装置。
【請求項６】
請求項１乃至５の何れか一項に記載の通信端末装置において、
前記取得手段によって取得された前記配信データをユーザに告知する告知手段を有することを特徴とする通信端末装置。
【請求項７】
ユーザに配信するための複数の配信データを、他の通信端末装置との識別を行う識別情報に基づいて通信端末装置に提供する通信システムにおける情報提供用サーバ装置であって、
前記複数の配信データを記憶する記憶手段と、
前記通信端末装置の起動が検出された際に当該通信端末装置から送信された前記識別情報を受信する識別情報受信手段と、
前記受信した識別情報に基づいて前記配信データの中から少なくとも一の配信データを選定する選定手段と、
前記選定された配信データを前記通信端末装置に送信する配信データ送信手段と、
を有することを特徴とする情報提供用サーバ装置。
【請求項８】
請求項７に記載の情報提供用サーバ装置において、
前記記憶手段が、前記配信データの配信希望時刻を示す情報または配信を所望する当該配信データのカテゴリを示す情報の少なくとも何れか一方を有し、予め設定された配信制御情報を各通信端末装置毎に記憶するとともに、
前記選定手段が、前記受信した通信端末装置の識別情報と前記予め記憶されている当該受信した識別情報を有する通信端末装置における配信制御情報とに基づいて前記配信データの中から少なくとも一の配信データを選定することを特徴とする情報提供用サーバ装置。
【請求項９】
請求項７または８に記載の情報提供用サーバ装置において、
前記記憶手段が、前記配信データの内容を示す内容情報を有するとともに配信された時刻を示す時刻情報、前記内容情報のカテゴリを示すカテゴリ情報、または、前記通信端末装置が当該情報提供用サーバ装置との通信回線の確立の可否を制御するための通信制御情報の少なくとも何れか一方を有する前記配信データを記憶することを特徴とする情報提供用サーバ装置。
【請求項１０】
ユーザに配信するための複数の配信データを有する情報提供用サーバ装置と、
他の通信端末装置との識別を行う識別情報に基づいて前記情報提供用サーバ装置に格納されている前記配信データの少なくとも一のデータを取得する通信端末装置と、
を備え、
前記通信端末装置が、
当該通信端末装置の起動を検出する検出手段と、
前記検出手段が前記起動を検出した際に、ユーザに配信するための複数の配信データを有する情報提供用サーバ装置との通信回線を確立する確立手段と、
前記情報提供用サーバ装置との通信回線を確立する際に、前記他の通信端末装置との識別を行う予め設定された識別情報を前記情報提供用サーバ装置に送信する識別情報送信手段と、
前記識別情報に基づいて少なくとも何れか一が選択された前記配信データが当該情報提供用サーバ装置から送信された場合に、当該送信された配信データを取得する取得手段と、を有するとともに、
前記情報提供用サーバ装置が、
前記複数の配信データを記憶する記憶手段と、
前記通信端末装置の起動が検出された際に当該通信端末装置から送信された前記識別情報を受信する識別情報受信手段と、
前記受信した識別情報に基づいて前記配信データの中から少なくとも一の配信データを選定する選定手段と、
前記選定された配信データを前記通信端末装置に送信する配信データ送信手段と、
を有することを特徴とする通信システム。
【請求項１１】
ユーザに配信するための複数の配信データを、他の通信端末装置との識別を行う識別情報に基づいて通信端末装置に提供する通信システムにおける配信データ提供方法であって、
当該通信端末装置の起動を検出する検出工程と、
前記検出工程によって前記起動が検出された際に、ユーザに配信するための複数の配信データを有する情報提供用サーバ装置との通信回線を確立するとともに、前記他の通信端末装置との識別を行う予め設定された識別情報を前記情報提供用サーバ装置に送信する識別情報送信工程と、
前記通信端末装置から送信された前記識別情報を情報提供用サーバ装置によって受信する識別情報受信工程と、
前記受信した識別情報に基づいて前記配信データの中から少なくとも一の配信データを選定する選定工程と、
前記選定された配信データを前記通信端末装置に送信する配信データ送信工程と、
前記配信データが当該情報提供用サーバ装置から送信された場合に、前記通信端末装置によって当該送信された配信データを取得する取得工程と、
を含むことを特徴とする配信データ提供方法。
【請求項１２】
コンピュータによって、情報提供用サーバ装置から提供された配信データを取得する配信データ取得プログラムであって、
前記コンピュータを、
検出手段によって当該通信端末装置の起動を検出した場合に、ユーザに配信するための複数の配信データを有する情報提供用サーバ装置との通信回線を確立するとともに、前記他の通信端末装置との識別を行う予め設定された識別情報を前記情報提供用サーバ装置に送信する確立手段、
前記識別情報に基づいて少なくとも何れか一が選択された前記配信データが当該情報提供用サーバ装置から送信された場合に、当該送信された配信データを取得する取得手段、
として機能させることを特徴とする配信データ取得プログラム。
【請求項１３】
請求項１２に記載の配信データ取得プログラムをコンピュータに読み取り可能に記録したことを特徴とする情報記録媒体。
【請求項１４】
コンピュータによって、ユーザに配信するための複数の配信データを、他の通信端末装置との識別を行う識別情報に基づいて通信端末装置に提供する通信システムにおける配信データ提供プログラムであって、
前記コンピュータを、
前記通信端末装置の起動が検出された際に当該通信端末装置から送信された前記識別情報を受信する識別情報受信手段、
前記受信した識別情報に基づいて記憶手段によって配信データの中から少なくとも一の配信データを選定する選定手段、
前記選定された配信データを前記通信端末装置に送信する配信データ送信手段、
として機能させることを特徴とする配信データ提供プログラム。
【請求項１５】
コンピュータによって、ユーザに配信するための複数の配信データを、他の通信端末装置との識別を行う識別情報に基づいて通信端末装置に提供する通信システムにおける配信データ提供プログラムであって、
検出手段によって当該通信端末装置の起動を検出した場合に、ユーザに配信するための複数の配信データを有する情報提供用サーバ装置との通信回線を確立するとともに、前記他の通信端末装置との識別を行う予め設定された識別情報を前記情報提供用サーバ装置に送信する識別情報送信手段、
前記通信端末装置から送信された前記識別情報を情報提供用サーバ装置によって受信する識別情報受信手段、
前記受信した識別情報に基づいて前記配信データの中から少なくとも一の配信データを選定する選定手段、
前記選定された配信データを前記通信端末装置に送信する配信データ送信手段、
前記配信データが当該情報提供用サーバ装置から送信された場合に、前記通信端末装置によって当該送信された配信データを取得する取得手段、
として機能させることを特徴とする配信データ提供プログラム。
【請求項１６】
請求項１４または１５に記載の配信データ提供プログラムをコンピュータに読み取り可能に記録したことを特徴とする情報記録媒体。
【発明の詳細な説明】
【技術分野】
【０００１】
本発明は、所定の情報を取得して表示する携帯通信端末装置の技術分野に属する。
【背景技術】
【０００２】
近年、携帯電話機やＰＤＡ（Personal Digital Assistants）などの携帯通信端末装置の発達のより、屋内外の場所を選ばず、データ通信を行うことが一般的になってきている。特に、携帯電話機は、音声通信の他に、Ｅ−ｍａｉｌの交換、インターネットによる情報サイトの閲覧およびそれに基づく所望するデータの取得（以下、単に、ダウンロードともいう。）などデータ通信として用いられることが多くなってきている。
【０００３】
一方、最近では、操作性の向上という観点から、他の電話機などの通信端末装置からの呼び出された際に、受信をするための操作を行うことなく、呼び出しを待ち受ける受信待機状態から操作可能になる通常の動作状態に復帰動作を行うと、当該呼び出された電話機に応答する携帯通信端末装置が知られている。
【０００４】
例えば、このような携帯通信端末装置では、当該携帯通信端末装置が折り畳み式の場合に、当該携帯通信端末装置が折り畳まれた待ち受け状態（受信待機状態）から開かれたとき、および、キー操作を無効している状態または表示画面に情報を表示させない状態である節電状態から復帰したときに、当該復帰動作を検出し、当該呼び出された電話機に応答するようになっている。
【発明の開示】
【発明が解決しようとする課題】
【０００５】
しかしながら、上述の受信待機状態から、操作可能になる通常の動作状態に復帰する動作に基づいて自動的に応答する携帯端末装置にあっては、他の通信端末装置からの着信時には操作性が向上するが、当該携帯通信端末装置から他の通信端末装置その他の装置に接続して能動的に任意のデータを取得する際には、その操作を容易にすることができない。
【０００６】
特に、携帯通信端末装置は、操作画面が一般のパーソナルコンピュータに比べ小さいこと、マウスなどの入力装置による入力が困難であることなどにより、数少ない種類によって構成される操作キーにより複雑なネットワーク接続の操作またはサーバ装置内のデータの検索に関する操作を行うため、所望する情報の閲覧、検索または取得を行うことに関しては未だ複雑な操作が必要である。
【０００７】
本発明は、上記の各問題点に鑑みて為されたもので、その課題の一例としては、通信回線の接続、データの閲覧およびその取得を容易にかつ簡便に行うことができる携帯通信端末装置、情報提供用サーバ装置および通信システムを提供することにある。
【課題を解決するための手段】
【０００８】
上記の課題を解決するために、請求項１に記載の発明は、当該通信端末装置の起動を検出する検出手段と、前記検出手段が前記起動を検出した際に、ユーザに配信するための複数の配信データを有する情報提供用サーバ装置との通信回線を確立する確立手段と、前記情報提供用サーバ装置との通信回線を確立する際に、前記他の通信端末装置との識別を行う予め設定された識別情報を前記情報提供用サーバ装置に送信する識別情報送信手段と、前記識別情報に基づいて少なくとも何れか一が選択された前記配信データが当該情報提供用サーバ装置から送信された場合に、当該送信された配信データを取得する取得手段と、を備えた構成を有している。
【０００９】
また、請求項２に記載の発明は請求項１に記載の通信端末装置において、前記検出手段が、当該通信端末装置における操作不能状態から操作可能状態への変化を前記起動として検出する構成を有している。
【００１０】
また、請求項３に記載の発明は、請求項１または２に記載の通信端末装置において、前記取得手段が、前記配信データの内容を示す内容情報と、前記確立手段における前記情報提供用サーバ装置との通信回線の確立の可否を制御する通信制御情報を少なくとも含む前記配信データを取得する構成を有している。
【００１１】
また、請求項４に記載の発明は、請求項３に記載の通信端末装置において、前記取得手段が、前記通信制御情報を以前に取得している場合に、前記取得手段が以前に取得した前記通信制御情報に基づいて、前記確立手段における前記情報提供用サーバ装置との通信回線の確立の可否を判断する判断手段を有する構成を有している。
【００１２】
また、請求項５に記載の発明は、請求項１乃至４の何れか一項に記載の通信端末装置において、前記取得手段が前記情報提供用サーバ装置との通信回線の確立後に予め設定された時間内に前記配信データを取得しない場合には、前記確立手段が当該情報提供用サーバ装置との通信回線を切断する構成を有している。
【００１３】
また、請求項６に記載の発明は、請求項１乃至５の何れか一項に記載の通信端末装置において、前記取得手段によって取得された前記配信データをユーザに告知する告知手段を有する構成をしている。
【００１４】
また、請求項７に記載の発明は、ユーザに配信するための複数の配信データを、他の通信端末装置との識別を行う識別情報に基づいて通信端末装置に提供する通信システムにおける情報提供用サーバ装置であって、前記複数の配信データを記憶する記憶手段と、前記通信端末装置の起動が検出された際に当該通信端末装置から送信された前記識別情報を受信する識別情報受信手段と、前記受信した識別情報に基づいて前記配信データの中から少なくとも一の配信データを選定する選定手段と、前記選定された配信データを前記通信端末装置に送信する配信データ送信手段と、を有する構成をしている。
【００１５】
また、請求項８に記載の発明は、請求項７に記載の情報提供用サーバ装置において、前記記憶手段が、前記配信データの配信希望時刻を示す情報または配信を所望する当該配信データのカテゴリを示す情報の少なくとも何れか一方を有し、予め設定された配信制御情報を各通信端末装置毎に記憶するとともに、前記選定手段が、前記受信した通信端末装置の識別情報と前記予め記憶されている当該受信した識別情報を有する通信端末装置における配信制御情報とに基づいて前記配信データの中から少なくとも一の配信データを選定する構成を有している。
【００１６】
また、請求項９に記載の発明は、請求項７または８に記載の情報提供用サーバ装置において、前記記憶手段が、前記配信データの内容を示す内容情報を有するとともに配信された時刻を示す時刻情報、前記内容情報のカテゴリを示すカテゴリ情報、または、前記通信端末装置が当該情報提供用サーバ装置との通信回線の確立の可否を制御するための通信制御情報の少なくとも何れか一方を有する前記配信データを記憶する構成を有している。
【００１７】
また、請求項１０に記載の発明は、ユーザに配信するための複数の配信データを有する情報提供用サーバ装置と、他の通信端末装置との識別を行う識別情報に基づいて前記情報提供用サーバ装置に格納されている前記配信データの少なくとも一のデータを取得する通信端末装置と、を備え、前記通信端末装置が、当該通信端末装置の起動を検出する検出手段と、前記検出手段が前記起動を検出した際に、ユーザに配信するための複数の配信データを有する情報提供用サーバ装置との通信回線を確立する確立手段と、前記情報提供用サーバ装置との通信回線を確立する際に、前記他の通信端末装置との識別を行う予め設定された識別情報を前記情報提供用サーバ装置に送信する識別情報送信手段と、前記識別情報に基づいて少なくとも何れか一が選択された前記配信データが当該情報提供用サーバ装置から送信された場合に、当該送信された配信データを取得する取得手段と、を有するとともに、前記情報提供用サーバ装置が、前記複数の配信データを記憶する記憶手段と、前記通信端末装置の起動が検出された際に当該通信端末装置から送信された前記識別情報を受信する識別情報受信手段と、前記受信した識別情報に基づいて前記配信データの中から少なくとも一の配信データを選定する選定手段と、前記選定された配信データを前記通信端末装置に送信する配信データ送信手段と、を有することを特徴とする通信システム。
【００１８】
また、請求項１１に記載の発明は、ユーザに配信するための複数の配信データを、他の通信端末装置との識別を行う識別情報に基づいて通信端末装置に提供する通信システムにおける配信データ提供方法であって、当該通信端末装置の起動を検出する検出工程と、前記検出工程によって前記起動が検出された際に、ユーザに配信するための複数の配信データを有する情報提供用サーバ装置との通信回線を確立するとともに、前記他の通信端末装置との識別を行う予め設定された識別情報を前記情報提供用サーバ装置に送信する識別情報送信工程と、前記通信端末装置から送信された前記識別情報を情報提供用サーバ装置によって受信する識別情報受信工程と、前記受信した識別情報に基づいて前記配信データの中から少なくとも一の配信データを選定する選定工程と、前記選定された配信データを前記通信端末装置に送信する配信データ送信工程と、前記配信データが当該情報提供用サーバ装置から送信された場合に、前記通信端末装置によって当該送信された配信データを取得する取得工程と、を含む構成を有している。
【００１９】
また、請求項１２に記載の発明は、コンピュータによって、情報提供用サーバ装置から提供された配信データを取得する配信データ取得プログラムであって、前記コンピュータを、当該通信端末装置の起動を検出する検出手段、前記検出工程によって前記起動が検出された際に、ユーザに配信するための複数の配信データを有する情報提供用サーバ装置との通信回線を確立するとともに、前記他の通信端末装置との識別を行う予め設定された識別情報を前記情報提供用サーバ装置に送信する確立手段、前記識別情報に基づいて少なくとも何れか一が選択された前記配信データが当該情報提供用サーバ装置から送信された場合に、当該送信された配信データを取得する取得手段、として機能させる構成を有している。
【００２０】
また、請求項１３に記載の発明は、請求項１２に記載の配信データ取得プログラムをコンピュータに読み取り可能に記録した構成を有している。
【００２１】
また、請求項１４に記載の発明は、コンピュータによって、ユーザに配信するための複数の配信データを、他の通信端末装置との識別を行う識別情報に基づいて通信端末装置に提供する通信システムにおける配信データ提供プログラムであって、前記コンピュータを、前記通信端末装置の起動が検出された際に当該通信端末装置から送信された前記識別情報を受信する識別情報受信手段、前記受信した識別情報に基づいて記憶手段によって配信データの中から少なくとも一の配信データを選定する選定手段、前記選定された配信データを前記通信端末装置に送信する配信データ送信手段、として機能させる構成を有している。
【００２２】
また、請求項１５に記載の発明は、コンピュータによって、ユーザに配信するための複数の配信データを、他の通信端末装置との識別を行う識別情報に基づいて通信端末装置に提供する通信システムにおける配信データ提供プログラムであって、当該通信端末装置の起動を検出する検出手段と、前記検出工程によって前記起動が検出された際に、ユーザに配信するための複数の配信データを有する情報提供用サーバ装置との通信回線を確立するとともに、前記他の通信端末装置との識別を行う予め設定された識別情報を前記情報提供用サーバ装置に送信する識別情報送信手段、前記通信端末装置から送信された前記識別情報を情報提供用サーバ装置によって受信する識別情報受信手段、前記受信した識別情報に基づいて前記配信データの中から少なくとも一の配信データを選定する選定手段、前記選定された配信データを前記通信端末装置に送信する配信データ送信手段、前記配信データが当該情報提供用サーバ装置から送信された場合に、前記通信端末装置によって当該送信された配信データを取得する取得手段、として機能させる構成を有している。
【００２３】
また、請求項１６に記載の発明は、請求項１４または１５に記載の配信データ提供プログラムをコンピュータに読み取り可能に記録した構成を有している。
【発明の効果】
【００２４】
請求項１に記載の発明では、通信端末装置の起動に基づいて、ユーザに配信するための複数の配信データを有する情報提供用サーバ装置との通信回線を確立する際に、他の通信端末装置との識別を行う予め設定された識別情報を情報提供用サーバ装置に送信し、当該識別情報に基づいて少なくとも何れか一が選択された配信データが当該情報提供用サーバ装置から送信された場合に、情報提供用サーバ装置から送信された配信データを取得する。
【００２５】
したがって、予め識別情報に関連付けてユーザが所望する配信データのカテゴリ、または、所望する配信データを取得する時間帯を予め設定しておけば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができるとともに、ユーザは通信端末装置を介して容易にかつ的確に配信データを取得することができる。
【００２６】
また、請求項２に記載の発明では、操作不能状態から操作可能状態への変化を当該通信端末装置の起動として検出するので、ユーザが通信端末装置を使う際に、ユーザは通信端末装置を介して容易にかつ的確に配信データを取得することができる。
【００２７】
また、請求項３に記載の発明では、配信データの内容を示す内容情報と、情報提供用サーバ装置との通信回線の確立の可否を制御する通信制御情報と、を少なくとも含む配信データを取得する。
【００２８】
通常、野球などのスポーツの試合に関する情報や株価情報など配信データの種類によっては配信される時間帯が予め設定されており、その時間外では新たな情報が提供されることが少ない。
【００２９】
したがって、配信されていないと予想される時間帯には情報提供用サーバ装置との通信回線の確立を行わないと通信制御情報を設定すれば、通信制御情報が通信回線の確立情報提供用サーバ装置との通信回線を確立する際に、当該配信データの通信制御情報を参照することによって、当該通信回線の確立制御を行うことができるので、情報提供用サーバ装置との通信を無駄に行うことなく、的確に配信データを取得することができる。
【００３０】
また、請求項４に記載の発明では、通信制御情報を以前に取得している場合に、以前に取得した通信制御情報に基づいて、情報提供用サーバ装置との通信回線の確立の可否を判断する。
【００３１】
したがって、配信されていないと予想される時間帯には情報提供用サーバ装置との通信回線の確立を行わない情報を通信制御情報として設定すれば、通信制御情報が通信回線の確立情報提供用サーバ装置との通信回線を確立する際に、当該通信回線の確立制御を行うことができるので、情報提供用サーバ装置との通信を無駄に行うことなく、的確に配信データを取得することができる。
【００３２】
また、請求項５に記載の発明では、情報提供用サーバ装置との通信回線の確立後に予め設定された時間内に配信データを取得しない場合には、確立手段が当該情報提供用サーバ装置との通信回線を切断する。
【００３３】
したがって、情報提供用サーバ装置に配信すべき新たな配信データが無い場合には、通信回線を切断することができるので、情報提供用サーバ装置との通信を無駄に行うことなく、的確に配信データを取得することができる。
【００３４】
また、請求項６に記載の発明では、取得された前記配信データをユーザに告知するので、ユーザは容易にかつ的確に配信データを取得することができる。
【００３５】
また、請求項７に記載の発明では、前記通信端末装置の起動が検出された際に当該通信端末装置から送信された識別情報に基づいて前記配信データの中から少なくとも一の配信データを選定し、選定された配信データを通信端末装置に送信する配信データ送信手段と、を有する。
【００３６】
したがって、予め識別情報に関連付けてユーザが所望する配信データのカテゴリ、または、所望する配信データを取得する時間帯を設定し、送信された配信データを通信端末装置が取得すれば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができ、かつ、ユーザは通信端末装置を介して容易にかつ的確に配信データを取得することができる。
【００３７】
また、請求項８に記載の発明では、配信希望時刻を示す情報または当該配信データのカテゴリを示す情報の少なくとも何れか一方と、受信した通信端末装置の識別情報とに基づいて配信データの中から少なくとも一の配信データを選定する。
【００３８】
したがって、通信端末装置が各通信端末装置毎にユーザの所望する配信データを取得することができ、かつ、ユーザは通信端末装置を介して容易にかつ的確に所望する配信データを取得することができる。
【００３９】
また、請求項９に記載の発明では、配信データの内容を示す内容情報を有するとともに配信された時刻を示す時刻情報、内容情報のカテゴリを示すカテゴリ情報、または、通信端末装置が当該情報提供用サーバ装置との通信回線の確立の可否を制御するための通信制御情報の少なくとも何れか一方を有する。
【００４０】
したがって、予め識別情報に関連付けてユーザが所望する配信データのカテゴリ、または、所望する配信データを取得する時間帯を予め設定しておけば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができるとともに、ユーザは通信端末装置を介して容易にかつ的確にユーザの所望するカテゴリまたは時間帯に属する配信データを取得することができる。
【００４１】
また、請求項１０に記載の発明では、前記通信端末装置が、自らの起動を検出し、ユーザに配信するための複数の配信データを有する情報提供用サーバ装置との通信回線を確立する際に、前記他の通信端末装置との識別を行う予め設定された識別情報を前記情報提供用サーバ装置に送信するとともに、前記識別情報に基づいて少なくとも何れか一が選択された前記配信データが当該情報提供用サーバ装置から送信された場合に、当該送信された配信データを取得する。一方、情報提供用サーバ装置が、通信端末装置の起動が検出された際に当該通信端末装置から送信された識別情報を受信し、受信した識別情報に基づいて配信データの中から少なくとも一の配信データを選定する選定手段と、前記選定された配信データを前記通信端末装置に送信する配信データ送信手段と、を有する。
【００４２】
したがって、予め識別情報に関連付けてユーザが所望する配信データのカテゴリ、または、所望する配信データを取得する時間帯を予め設定しておけば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができるとともに、ユーザは通信端末装置を介して容易にかつ的確に配信データを取得することができる。
【００４３】
また、請求項１１に記載の発明では、前記通信端末装置が、自らの起動を検出し、ユーザに配信するための複数の配信データを有する情報提供用サーバ装置との通信回線を確立する際に、前記他の通信端末装置との識別を行う予め設定された識別情報を前記情報提供用サーバ装置に送信するとともに、前記識別情報に基づいて少なくとも何れか一が選択された前記配信データが当該情報提供用サーバ装置から送信された場合に、当該送信された配信データを取得する。一方、情報提供用サーバ装置が、通信端末装置の起動が検出された際に当該通信端末装置から送信された識別情報を受信し、受信した識別情報に基づいて配信データの中から少なくとも一の配信データを選定する選定手段と、前記選定された配信データを前記通信端末装置に送信する配信データ送信手段と、を有する。
【００４４】
したがって、予め識別情報に関連付けてユーザが所望する配信データのカテゴリ、または、所望する配信データを取得する時間帯を予め設定しておけば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができるとともに、ユーザは通信端末装置を介して容易にかつ的確に配信データを取得することができる。
【００４５】
また、請求項１２または１３に記載の発明では、通信端末装置の起動に基づいて、ユーザに配信するための複数の配信データを有する情報提供用サーバ装置との通信回線を確立する際に、他の通信端末装置との識別を行う予め設定された識別情報を情報提供用サーバ装置に送信し、当該識別情報に基づいて少なくとも何れか一が選択された配信データが当該情報提供用サーバ装置から送信された場合に、情報提供用サーバ装置から送信された配信データを取得する。
【００４６】
したがって、予め識別情報に関連付けてユーザが所望する配信データのカテゴリ、または、所望する配信データを取得する時間帯を予め設定しておけば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができるとともに、ユーザは通信端末装置を介して容易にかつ的確に配信データを取得することができる。
【００４７】
また、請求項１４に記載の発明では、前記通信端末装置の起動が検出された際に当該通信端末装置から送信された識別情報に基づいて前記配信データの中から少なくとも一の配信データを選定し、選定された配信データを通信端末装置に送信する配信データ送信手段と、を有する。
【００４８】
したがって、予め識別情報に関連付けてユーザが所望する配信データのカテゴリ、または、所望する配信データを取得する時間帯を設定し、送信された配信データを通信端末装置が取得すれば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができ、かつ、ユーザは通信端末装置を介して容易にかつ的確に配信データを取得することができる。
【００４９】
また、請求項１５または１６に記載の発明では、前記通信端末装置が、自らの起動を検出し、ユーザに配信するための複数の配信データを有する情報提供用サーバ装置との通信回線を確立する際に、前記他の通信端末装置との識別を行う予め設定された識別情報を前記情報提供用サーバ装置に送信するとともに、前記識別情報に基づいて少なくとも何れか一が選択された前記配信データが当該情報提供用サーバ装置から送信された場合に、当該送信された配信データを取得する。一方、情報提供用サーバ装置が、通信端末装置の起動が検出された際に当該通信端末装置から送信された識別情報を受信し、受信した識別情報に基づいて配信データの中から少なくとも一の配信データを選定する選定手段と、前記選定された配信データを前記通信端末装置に送信する配信データ送信手段と、を有する。
【００５０】
したがって、予め識別情報に関連付けてユーザが所望する配信データのカテゴリ、または、所望する配信データを取得する時間帯を予め設定しておけば、通信端末装置の起動後に、情報提供用サーバ装置との通信回線の確立および当該配信データの取得にあたりユーザが一切の操作を行うことなく、通信端末装置が各通信端末装置毎にユーザの所望する配信データを取得することができるとともに、ユーザは通信端末装置を介して容易にかつ的確に配信データを取得することができる。
【発明を実施するための最良の形態】
【００５１】
次に、本発明に好適な実施の形態について、図面に基づいて説明する。なお、以下に説明する実施の形態は、携帯電話機などの携帯端末装置と所望するデータを提供する情報提供用サーバ装置によって構成される通信システムに対して本発明を適用した場合の実施形態である。
【００５２】
Ｉ．概要構成および概要動作
まず、図１を用いて本実施形態における通信システムの概要構成について説明する。
【００５３】
なお、図１は、本実施形態に係る通信システムの概要構成を示す概要構成図である。
【００５４】
本実施形態の通信システム１００は、図１に示すように、音声データまたは文字データなどの通信端末装置として用いるとともに、情報提供用サーバ装置１３０によって提供される時事、スポーツまたは株価などのユーザの所望するニュースデータ（以下、単に、ニュースデータという。）の取得を行う携帯通信端末装置１１０と、カテゴリ毎に時間管理されたニュースデータを格納する情報提供用サーバ装置１３０と、から構成されるようになっており、情報提供用サーバ装置１３０と携帯通信端末装置１１０は、公衆電話網回線やインターネット回線などの通信回線１４０によって、互いに接続するようになっている。
【００５５】
この通信システム１００は、携帯電話機、ＰＤＡまたはパーソナルコンピュータなどの他の通信端末装置と通信を行うことができる携帯通信端末装置１１０を用いて、当該携帯通信端末装置１１０が操作や他の通信端末装置からの着信の待機状態から、操作可能になる通常の動作状態に復帰する際に、各携帯通信端末装置１１０が有する識別番号を用いて当該携帯通信端末装置１１０と情報提供用サーバ装置１３０との通信回線１４０を確立し、情報提供用サーバ装置１３０に格納されているニュースデータを当該携帯通信端末装置１１０に取得させ、ユーザに提供されるようになっている。
【００５６】
すなわち、本実施形態の通信システム１００は、携帯通信端末装置１１０が通常の動作状態に復帰する際に、情報提供用サーバ装置１３０と通信回線１４０の接続、および、ユーザが予め設定した所望するニュースデータの検索、閲覧および取得を行うための操作を実行することなく、当該ニュースデータを携帯通信端末装置１１０に取得させることができるようになっている。
【００５７】
次に、図２を用いて本実施形態における携帯通信端末装置の概要構成について説明する。なお、図２は、本実施形態に係る携帯通信端末装置１１０の概要構成を示すブロック図である。
【００５８】
本実施形態の携帯通信端末装置１１０は、図２に示すように、アンテナＡＴを介して電話公衆網回線やインターネット回線と接続し、他の通信端末装置または情報提供用サーバ装置１３０などと通信を行うデータ通信部１１１と、受信した音声データを音声信号に変換する音声出力処理部１１２と、変換された音声信号を出力するスピーカ１１３と、送信すべき音声が入力されるマイクロホン１１４と、マイクロホン１１４にて変換された音声信号に対して増幅その他の処理を施す音声入力処理部１１５と、当該携帯通信端末装置１１０の起動を検出する起動検出部１１６と、情報提供用サーバ装置１３０から受信したニュースデータその他のデータを格納するデータ格納部１１７と、取得したニュースデータその他の情報を表示する表示部１１８と、各種の動作を行うアプリケーションデータの読み出しおよびそれに必要なデータの書き込みが行われるＲＯＭ／ＲＡＭ１１９と、各部を総括的に制御するシステム制御部１２０と、複数の操作キーを有する操作部１２１と、を有している。
【００５９】
なお、本実施形態のデータ通信部１１１は、本発明に係る確立手段、識別情報送信手段および取得手段を構成し、起動検出部１１６は、本発明に係る検出手段を構成する。また、本実施形態の表示部１１８、音声出力処理部１１２およびスピーカ１１３は、本発明に係る告知手段を構成し、システム制御部１２０は、本発明に係る判断手段を構成する。
【００６０】
データ通信部１１１は、アンテナＡＴを介して電話公衆網回線およびインターネット回線と接続され、他の携帯通信端末装置１１０またはパーソナルコンピュータなどの通信端末装置（以下、「通信端末装置等」という。）、および、情報提供用サーバ装置１３０と通信を行うようになっており、当該他の通信端末装置等と文字データ、音声データまたは画像データを所定の形式にエンコードおよびデコードして送受信を行うようになっている。
【００６１】
また、このデータ通信部１１１は、後述するように、情報提供用サーバ装置１３０に格納されたニュースデータを取得するようになっており、当該取得したニュースデータを、システム制御部１２０を介してデータ格納部１１７に出力するようになっている。
【００６２】
具体的には、本実施形態のデータ通信部１１１は、情報提供用サーバ装置１３０と通信回線１４０を確立する際に、情報提供用サーバ装置１３０との回線の確立における認証時に当該情報提供用サーバ装置１３０の要求に対して識別情報などの所定のデータを送信するようになっている。例えば、このデータ通信部１１１は、情報提供用サーバ装置１３０との認証時に、当該情報提供用サーバ装置１３０と通信回線１４０の確立を行う携帯通信端末装置１１０の識別を行うため、当該携帯通信端末装置１１０の識別情報を送信するようになっている。
【００６３】
また、データ通信部１１１は、当該識別情報により情報提供用サーバ装置１３０と回線が確立された場合には、ユーザによって予め設定された当該情報提供用サーバ装置１３０が格納するニュースデータを取得するためのデータを受信するとともに、そのときに必要なデータの送信を行うようになっている。
【００６４】
なお、本実施形態では、情報提供用サーバ装置１３０は、ニュースデータをＵＲＬ（Uniform resource Locator）を用いて格納するようになっており、データ通信部１１１は、当該ＵＲＬを指定するためのデータを受信するようになっている。
【００６５】
さらに、このデータ通信部１１１は、情報提供用サーバ装置１３０と回線が確立された場合には、当該情報提供用サーバ装置１３０との通信時間を管理するようになっており、通信回線１４０の確立後一定期間内に所定のデータを受信しない場合には、当該通信回線１４０を切断するようになっている。
【００６６】
なお、この識別情報は、各携帯通信端末装置１１０固有の情報であり、例えば、ＩＤ番号（Identifying number）を用いるようになっている。特に、本実施形態では、このＩＤ番号のことをユーザＩＤ（Ｕser ＩＤ）という。
【００６７】
また、情報提供用サーバ装置１３０における携帯通信端末装置１１０に送信するニュースデータ、並びに、当該携帯通信端末装置１１０と情報提供用サーバ装置１３０が通信回線１４０を確立する際およびニュースデータの取得するための動作（以下、接続取得動作という。）の詳細については、後述する。
【００６８】
音声出力処理部１１２は、データ通信部１１１において受信した音声データを実時間によって、または指定されたときに、アナログ信号である音声信号に変換するようになっており、当該変換した音声信号に対して増幅その他の処理を実行し、処理した音声信号を、スピーカ１１３を介して外部に出力するようになっている。
【００６９】
音声入力処理部１１５は、マイクロホン１１４から出力された音声信号に対して増幅その他の処理を施すとともに、処理された音声信号を所定の音声データに変換するようになっており、当該変換された音声データを、データ通信部１１１を介して他の携帯通信端末装置１１０に出力するようになっている。
【００７０】
起動検出部１１６は、携帯通信端末装置１１０の起動を検出するようになっており、当該携帯通信端末装置１１０の起動を検出した場合に、システム制御部１２０に当該携帯通信端末装置１１０が起動した旨をシステム制御部１２０に出力するようになっている。
【００７１】
具体的には、起動検出部１１６は、当該携帯通信端末装置１１０の電源がＯＮされたときに、当該携帯通信端末装置１１０における操作待機状態から操作可能になる通常の動作状態に復帰するときに、および、当該携帯通信端末装置１１０における受信待機状態から操作可能になる通常の動作状態に復帰するときに、その起動を検出するようになっている。
【００７２】
例えば、当該携帯通信端末装置１１０の一部をスライドさせて通信端末装置として使用できる状態（以下、通信使用状態という。）に変化させるスライド式、当該形態通信端末装置の一部を回転させて通信使用形態に変化させる回転式または当該形態通信端末装置の一部を開いて通信使用状態に変化させる折り畳み式など携帯通信端末装置１１０における通信使用状態と、操作待機状態または受信待機状態と、の当該携帯通信端末１１０自体の形態が異なる場合に、他の状態から通信使用状態に変化させる際の動作、すなわち、起動を検出するようになっており、当該起動した旨をシステム制御部１２０に出力するようになっている。
【００７３】
なお、例えば、携帯通信端末装置１１０の電源がＯＦＦの状態、操作待機状態および受信待機状態は、本発明に係る操作不能状態を示し、当該携帯通信端末装置１１０の電源がＯＮの状態、ならびに操作待機状態や受信待機状態から操作可能になる通常の動作状態は、本発明に係る操作可能状態を示す。
【００７４】
また、システム制御部１２０は、当該携帯通信端末装置１１０が起動した旨が入力されると、後述するように、データ通信部１１１を制御して情報提供用サーバ装置１３０との通信回線１４０を確立するようになっている。
【００７５】
データ格納部１１７は、データ通信部１１１によって受信したＥ−ｍａｉｌやその添付ファイルなどのテキストデータ、音声データおよび画像データを格納するとともに、情報提供用サーバ装置１３０から取得したニュースデータを格納するようになっており、配信された時刻順に、かつ、ニュースデータの種別を示すカテゴリ毎に分類して当該取得したニュースデータを格納するようになっている。
【００７６】
また、このデータ格納部１１７は、システム制御部１２０の制御に従って、当該格納してあるニュースデータを表示部１１８に出力するようになっており、起動検出部１１６が当該携帯通信端末装置１１０の起動を検出した場合に、情報提供用サーバ装置１３０から提供された既に格納してある最新のニュースデータの少なくとも１つのニュースデータを、システム制御部１２０を介して表示部１１８に出力するようになっている。
【００７７】
表示部１１８は、データ格納部１１７に格納されているデータ、受信したＥ−ｍａｉｌ、所定の操作のためのデータその他の情報を表示するようになっており、特に、起動検出部１１６が当該携帯通信端末装置１１０の起動を検出した場合に、情報提供用サーバ装置１３０から提供されたニュースデータまたは既にデータ格納部１１７に格納されているニュースデータを表示させるようになっている。
【００７８】
なお、本実施形態では、原則、当該操作部１２１を使用せず、情報提供用サーバ装置１３０が提供するデータを取得および表示することができるようになっている。
【００７９】
ＲＯＭ／ＲＡＭ１１９には、後述する取得すべき配信データにおける接続禁止時間帯を示す情報が格納されている。
【００８０】
なお、この接続禁止時間帯では、上述のように、起動検出部１１６が当該携帯通信端末装置１１０の起動を検出しても、情報提供用サーバ装置と通信回線の確立を行わない用になっている。
【００８１】
システム制御部１２０は、現在時刻を示すタイマーを有し、現在時刻に基づいて携帯通信端末装置１１０全体の動作を制御するようになっており、特に、本実施形態では、起動検出部１１６が当該携帯通信端末装置１１０の起動を検出した旨が入力された場合に、データ通信部１１１およびデータ格納部１１７を制御するとともに、所定のアプリケーションプログラムをＲＯＭ／ＲＡＭ１１９から読み出し、当該ＲＯＭ／ＲＡＭ１１９に処理中のデータを一時的に保持しつつ、後述する接続取得動作を制御するようになっている。
【００８２】
具体的には、このシステム制御部１２０は、データ通信部１１１を介して情報提供用サーバ装置１３０からニュースデータを取得した場合に、ニュースデータに含まれる時刻情報によって示される時刻順に、かつ、カテゴリ情報によって示されるカテゴリ毎に、データ格納部１１７に当該ニュースデータを格納するとともに、当該ニュースデータを表示部１１８に表示させるようになっている。
【００８３】
また、システム制御部１２０は、ＲＯＭ／ＲＡＭ119に接続禁止時間帯の情報が格納されている場合には、起動検出部１１６が当該携帯通信端末装置１１０の起動を検出したとしても、タイマーの現在時刻が当該接続禁止時間帯に属するときは、情報提供用サーバ装置１３０に接続しないように各部を制御するようになっている。
【００８４】
具体的には、システム制御部１２０は、起動検出部１１６が当該携帯通信端末装置１１０の起動を検出すると、現在時刻が接続禁止時間帯に属するか否かを判断し、当該現在時刻が接続禁止時間帯に属する場合には、情報提供サーバ装置１３０との接続する動作、すなわち、後述する接続取得動作を中止するようになっており、当該現在時刻が接続禁止時間帯に属しない場合には、接続取得動作を継続するようになっている。
【００８５】
さらに、後述するように、ニュースデータに後述する配信予定時刻情報が含まれており、このシステム制御部１２０が当該配信予定時刻情報を取得した場合には、システム制御部１２０は、起動検出部１１６が当該携帯通信端末装置１１０の起動を検出したとしても、当該次回配信時刻まで、情報提供用サーバ装置１３０に接続しないように各部を制御するようになっている。
【００８６】
具体的には、システム制御部１２０は、まず、最終的に受信したニュースデータに次回は配信予定時刻情報が添付されているか否かを判断し、次に、当該配信予定時刻情報が添付されている場合に、現在時刻と配信予定時刻情報を比較するようになっており、最終的に受信したニュースデータに配信予定時刻情報が添付され、かつ、現在時刻が配信予定時刻情報によって示される時刻よりも前の場合には、起動検出部１１６が当該携帯通信端末装置１１０の起動を検出したとしても、情報提供用サーバ装置１３０に接続しないように各部を制御するようになっている。
【００８７】
また、システム制御部１２０は、配信予定時刻情報がそのカテゴリに属する既に取得したニュースデータに付加されていない場合に、または、そのニュースデータが付加されている場合であっても、現在時刻が、当該配信予定時刻情報を経過している場合には、起動検出部１１６が当該携帯通信端末装置１１０の起動を検出した際に、情報提供サーバ装置からニュースデータを取得するように、各部を制御するようになっている。
【００８８】
操作部１２１は、各種確認ボタン、各操作指令を入力する操作ボタン、テンキーおよびその他の数字キーなどの多数のキーにより構成されており、データ通信に関する各種の操作を行うことができるようになっている。
【００８９】
次に、図３〜図５を用いて本実施形態における情報提供用サーバ装置の概要構成について説明する。
【００９０】
なお、図３は、本実施形態に係る情報提供用サーバ装置の概要構成を示すブロック図であり、図４は、当該情報提供用サーバ装置に格納されている配信情報のイメージ図である。また、図５は、当該情報提供用サーバ装置に格納されているニュースデータの構成を示す一例である。
【００９１】
本実施形態の情報提供用サーバ装置１３０は、図３に示すように、アンテナＡＴを介して電話公衆網回線やインターネット回線と接続し、携帯通信端末装置１１０との通信を制御するデータ通信制御部１３１と、ニュースデータを格納するデータベース１３２と、ニュースデータをデータベース１３２に入力して設定するデータ入力部１３３と、各部の動作を制御するとともに、任意の携帯通信端末装置１１０との接続制御、および、ニュースデータの配信制御を行うシステム管理部１３４と、を有している。
【００９２】
なお、本実施形態の通信制御部は、本発明に係る識別情報受信手段およびデータ送信手段を構成し、データベース１３２は、本発明に係る記憶手段を構成する。また、本実施形態のシステム管理部１３４は、本発明に係る選定手段を構成する。
【００９３】
データ通信制御部１３１は、アンテナＡＴを介して電話公衆網回線およびインターネット回線などの通信回線１４０と接続され、携帯通信端末装置１１０と通信を行うようになっており、各携帯通信端末装置１１０毎に指定されたデータベース１３２に格納されているニュースデータを当該各携帯通信端末装置１１０に送信、およびそれに伴う情報を送受信するようになっている。
【００９４】
具体的には、本実施形態のデータ通信制御部１３１は、携帯通信端末装置１１０と通信回線１４０を確立する際に、当該通信回線１４０を確立する際に必要となる情報の要求または受信を行うようになっており、例えば、当該携帯通信端末装置１１０との回線の確立における認証時に、各携帯通信端末装置１１０の識別情報の送信を要求する旨の情報の送信およびその識別情報の受信を行うようになっている。
【００９５】
また、データ通信制御部１３１は、当該識別情報により携帯通信端末装置１１０と回線が確立したときに、ユーザによって予め設定された当該情報提供用サーバ装置１３０が蓄積するファイルの指定、すなわち、インターネットの場合にはＵＲＬ（Uniform resource Locator）を指定するための情報を受信し、当該情報をシステム管理部１３４に出力するようになっている。
【００９６】
さらに、このデータ通信制御部１３１は、携帯通信端末装置１１０と通信回線１４０が確立された後に、当該携帯通信端末装置１１０との通信回線１４０の切断を検出するようになっており、当該通信回線１４０の切断を検出した場合に、当該携帯通信端末装置１１０との全ての通信を終了し、その旨をシステム管理部１３４に出力するようになっている。
【００９７】
なお、情報提供用サーバ装置１３０における携帯通信端末装置１１０に送信するニュースデータ、並びに、当該携帯通信端末装置１１０と情報提供用サーバ装置１３０が通信回線１４０を確立する際の接続取得動作の詳細については、後述する。
【００９８】
データベース１３２には、各携帯通信端末装置１１０毎に設定されたニュースデータの配信を規定する情報（以下、配信情報という。）と、配信される時刻順に、かつ、そのデータの属性を示すカテゴリ毎に分類されたニュースデータと、が格納されている。
【００９９】
具体的には、配信情報は、各携帯通信端末装置１１０毎に、当該携帯通信端末装置１１０の識別情報と、ユーザが所望するニュースデータのカテゴリを示すユーザカテゴリ情報と、そのカテゴリに属するニュースデータの配信希望時間を示す希望時間情報と、前回の携帯通信端末装置１１０との接続状況を示す情報（以下、接続状況情報（アクセスログ）という。）と、から構成される。
【０１００】
また、この配信情報は、該当する携帯通信端末装置１１０と当該情報提供用サーバ装置１３０との通信回線１４０が確立した場合に、該当するニュースデータを携帯通信端末装置１１０に送信するために、システム管理部１３４によって参照されるようになっている。
【０１０１】
本実施形態では、ユーザカテゴリ情報と希望時間情報は、時刻とカテゴリを関連付けた情報としてデータベース１３２に格納されており、具体的には、図４に示すように、複数のカテゴリのうち、予め設定された時間帯毎に一のカテゴリが設定された情報をユーザカテゴリ情報として格納されるとともに、当該予め設定された時間帯を希望時間情報として格納されるようになっている。
【０１０２】
また、接続状況情報は、携帯通信端末装置１１０が過去に当該情報提供用サーバ装置１３０に接続した最終の接続時刻を示すとともに、識別情報に関連付けて格納され、携帯通信端末装置１１０と通信回線１４０が確立した場合に、参照されるようになっている。
【０１０３】
なお、システム管理部１３４は、後述するように、接続状況情報が示す最終時刻以降に配信されるニュースデータを携帯通信端末装置１１０に提供するようになっている。
【０１０４】
また、接続禁止時間帯は、上述のように、各携帯端末装置１１０毎に設定されており、当該接続禁止時間帯には、情報提供用サーバ装置１３０は携帯通信端末装置１１０と接続されないようになっている。
【０１０５】
一方、ニュースデータは、図５に示すように、カテゴリを示す情報（以下、カテゴリ情報という。）と、時刻を示す情報（以下、時刻情報という。）と、ニュースの内容を示すテキストデータと、次回の配信予定時刻を示す情報（以下、配信予定時刻情報という。）と、から構成されている。
【０１０６】
カテゴリ情報と時刻情報は、該当する携帯通信端末装置１１０に送信する際に、システム管理部１３４によって参照され、該当する携帯通信端末装置１１０に送信する際に用いられるようになっている。カテゴリ情報および時刻情報とテキストデータは、実際に携帯通信端末装置１１０に送信されるようになっている。
【０１０７】
また、配信予定時刻情報は必要な場合にのみ他の情報とともにデータベース１３２に格納されており、携帯通信端末装置１１０における情報提供用サーバ装置１３０への接続を制御するために用いられるようになっている。
【０１０８】
例えば、本実施形態では、携帯通信端末装置１１０がこの配信予定時刻情報を取得すると、上述するように、当該配信予定時刻情報が示す時刻まで情報提供用サーバ装置１３０に接続しないようになっている。
【０１０９】
本実施形態では、原則、配信予定時刻情報を任意のニュースデータに添付して携帯通信端末装置１１０に送信するようになっているが、当該配信予定時刻情報を添付する際に、配信すべき新たなニュースデータが存在しない場合には、ユーザが所望するカテゴリに関するニュースデータが次回配信予定時刻までない旨を新規のニュースデータとして配信し、当該ニュースデータに配信予定時刻情報を添付するようになっている。
【０１１０】
なお、本実施形態では、配信予定時刻情報によって示される時刻前に、当該配信予定時刻情報が添付されたニュースデータのカテゴリとは異なるカテゴリに切り換わる場合があるが、例えば、この場合には、配信情報に配信予定時刻情報を添付する際に、当該配信情報を送信する各携帯通信端末装置１１０におけるカテゴリ情報および時刻情報を参照し、
当該配信予定時刻情報とともに、設定した時刻以降に接続可能である旨の情報を添付するようになっている。
【０１１１】
この場合に、携帯通信端末装置１１０は、配信予定時刻情報によって示される時刻前であっても、当該設定した時刻以降に接続可能である情報を有している場合には、当該情報提供サーバ装置１３０に接続するようになっている。
【０１１２】
また、本実施形態では、このニュースデータはＵＲＬによって指定されるようになっており、全てのニュースデータは、一のＵＲＬによって表されるファイル名によって格納され、配信情報に基づいて該当するニュースデータの提供が行なわれるようになっている。
【０１１３】
データ入力部１３３は、各種確認ボタン、各操作指令を入力する操作ボタン、テンキーおよびその他の数字キーなどの多数のキーを有するキーボードと、マウスなどの入力装置により構成されており、データベース１３２に格納する各種情報の設定およびニュースデータの入力に関する各種の操作を行うことができるようになっている。
【０１１４】
システム管理部１３４は、現在時刻を示すタイマーを有し、各部の動作を制御するようになっており、特に、本実施形態では、現在時刻とデータベース１３２に格納されている各種データに基づいて、任意の携帯通信端末装置１１０との接続制御、および、ニュースデータの配信制御を行うようになっている。
【０１１５】
具体的には、システム管理部１３４は、任意の携帯通信端末装置１１０と通信回線１４０を接続する際に、データ通信制御部１３１によって受信した識別情報に基づいて、データベース１３２に予め格納された各携帯通信端末装置１１０の識別情報を検索し、当該受信した携帯通信端末装置１１０の識別情報と一致する識別情報が存在した場合には、当該携帯通信端末装置１１０との通信回線１４０の接続を確立するように、データ通信制御部１３１を制御するようになっている。
【０１１６】
また、システム管理部１３４は、携帯通信端末装置１１０との通信回線１４０の接続を確立した後には、現在時刻、前回の接続状況（アクセスログ）および当該携帯通信端末装置１１０における配信情報に基づいて、ニュースデータを当該携帯通信端末装置１１０に送信するよう各部を制御するようになっている。
【０１１７】
なお、携帯通信端末装置１１０と情報提供用サーバ装置１３０が通信回線１４０を確立する際およびニュースデータを取得させる接続取得動作の詳細については、後述する。
【０１１８】
次に、図６を用いて通信システム１００におけるニュースデータの接続取得動作について説明する。
【０１１９】
なお、図６は通信システム１００におけるニュースデータの接続取得動作を示すフローチャートである。
【０１２０】
また、ここでは、折り畳み式の携帯通信端末装置１１０において当該接続取得動作を適用した場合について説明するものとし、ニュースデータの告知手段として表示部１１８を用いて説明する。
【０１２１】
さらに、この動作は所定のアプリケーションに基づいてシステム制御部１２０が実行するものとし、ニュースデータおよび配信情報は、既に設定され情報提供サーバ装置および携帯通信端末装置１１０に格納されているものとする。
【０１２２】
始めに、携帯通信端末装置１１０における接続取得動作について説明する。
【０１２３】
まず、ユーザが折り畳み式の携帯通信端末装置１１０を開き、通信使用状態に変化させると、起動検出部１１６が当該動作によって当該携帯通信端末装置１１０における起動を検出し、その旨をシステム制御部１２０に出力する（ステップＳ１１）。
【０１２４】
次いで、システム制御部１２０は、当該携帯通信端末装置１１０が起動した旨が入力されると、最新のニュースデータの次回配信予定時刻情報を確認するとともに、現在時刻が接続禁止時間帯であるか否かを確認し、情報提供用サーバ装置１３０との接続の可否を判断する（ステップＳ１２）。
【０１２５】
具体的には、システム制御部１２０は、データ格納部１１７に格納されている最新のニュースデータにおける次回配信時間情報の有無、および、当該最新のニュースデータが次回配信時間情報を有している場合には、現在時刻がその時刻を経過しているか否かを判断する。
【０１２６】
また、このシステム制御部１２０は、ＲＯＭ／ＲＡＭ１１９に格納されている接続禁止時間帯を示す情報と現在時刻とを比較し、現在時刻が当該接続禁止時間帯に属するか否かを判断する。
【０１２７】
なお、このとき、システム制御部１２０は、データ格納部１１７から最新のニュースデータを取得してそのテキストデータを表示部１１８に表示させる。
【０１２８】
システム制御部１２０が、当該最新のニュースデータが次回配信時間情報を有している場合であって、現在時刻がその時刻を経過していないと判断した場合、または、現在時刻が接続禁止時間帯に属すると判断した場合に、当該システム制御部１２０は、接続不可と判断し、本動作を終了する。
【０１２９】
一方、システム制御部１２０が最新のニュースデータが次回配信時間情報を有していないと判断した場合には、または、当該最新のニュースデータが次回配信時間情報を有していると判断した場合であっても、現在時刻が当該時刻を経過していると判断した場合、および、現在時刻が接続禁止時間帯に属しないと判断した場合には、当該システム制御部１２０は、接続可能と判断し、予め指定された情報提供用サーバ装置１３０と通信回線１４０を確立させるためデータ通信部１１１に接続開始を指示する（ステップＳ１３）。
【０１３０】
次いで、データ通信部１１１は、システム制御部１２０から通信回線１４０の確立する指示が入力されると、予め指定された情報提供用サーバ装置１３０と通信回線１４０を確立させるため、所定の動作を行うとともに、当該通信回線１４０の確立後、当該携帯通信端末装置１１０の識別情報を情報提供用サーバ装置１３０に送信し、ニュースデータの受信を待機する（以下、接続処理という。（ステップＳ１４））。
【０１３１】
なお、本実施形態では、データ通信部１１１は、電話公衆網回線、移動電話公衆網回線、または、インターネット回線などの単独または複数の回線を介して情報提供用サーバ装置１３０と接続する際に、それぞれ、通信回線１４０の確立における各種の手続を行う。
【０１３２】
次いで、データ通信部１１１は、一定時間内に、ニュースデータを受信したか否か判断し（ステップＳ１５）、データ通信が一定期間内にニュースデータを受信しなかった場合には、情報提供用サーバ装置１３０との通信回線１４０を切断するとともに、その旨をシステム制御部１２０に出力し（ステップＳ１６）、システム制御部１２０は、本動作を終了させる。
【０１３３】
一方、データ通信部１１１が一定期間内にニュースデータを受信した場合には、当該データ通信部１１１が受信したニュースデータをシステム制御部１２０に出力し、システム制御部１２０は、このニュースデータをデータ格納部１１７に格納させるとともに、表示部１１８に表示させ（ステップＳ１７）、本動作を終了させる。
【０１３４】
次に、情報提供用サーバ装置１３０における接続取得動作について説明する。
【０１３５】
まず、データ通信制御部１３１と携帯通信端末装置１１０のデータ通信部１１１との所定の手続により、情報提供用サーバ装置１３０と携帯通信端末装置１１０との通信回線１４０が確立すると、データ通信制御部１３１は、携帯通信端末装置１１０にユーザＩＤを要求するとともに、データ通信制御部１３１がユーザＩＤを受信すると、当該データ通信制御部１３１は、システム管理部１３４にユーザＩＤを出力し、システム管理部１３４は、当該ユーザＩＤの認証を行う（接続処理（ステップＳ２１））。
【０１３６】
具体的には、システム管理部１３４は、受信したユーザＩＤがデータベース１３２にあるか否かを判断し、当該受信したユーザＩＤがデータベース１３２に有るときは、そのまま次の処理に移行し、当該受信したユーザＩＤがデータベース１３２にないときは、システム管理部１３４は、データ通信制御部１３１に携帯通信端末装置１１０との通信回線１４０を切断させ、本動作を終了させる。
【０１３７】
次いで、システム管理部１３４は、受信したユーザＩＤの認証後、当該ユーザＩＤがデータベース１３２に有る場合には、現在時刻を取得するとともに、現在時刻に基づいて、配信情報を参照する（ステップＳ２２）。
【０１３８】
具体的には、システム管理部１３４は、現在時刻に基づいてデータベース１３２に格納されている受信したユーザＩＤにおけるユーザカテゴリ情報および希望時間情報を参照し、現在時刻における当該携帯通信端末装置１１０における提供すべきカテゴリを決定する。
【０１３９】
次いで、システム管理部１３４は、当該ユーザＩＤにおける携帯通信端末装置１１０の接続状況情報（アクセスログ）を参照して、この接続状況情報によって示される最新の接続時刻から当該カテゴリ接続状況情報によって示されるカテゴリに関して新たなニュースデータが存在するか否かを判断する（ステップＳ２３）。
【０１４０】
システム管理部１３４が接続状況情報に基づいて新たなニュースデータが存在しない場合には、当該システム管理部１３４は本動作を終了させる。
【０１４１】
なお、この場合、携帯通信端末装置１１０は、情報提供用サーバ装置１３０からユーザＩＤを送信してから一定期間内いずれのデータも受信しない当該情報提供用サーバ装置１３０との通信回線１４０を切断するので、システム管理部１３４が本動作を終了させれば、システム全体としても動作が終了する。
【０１４２】
一方、システム管理部１３４が接続状況情報に基づいて新たなニュースデータが存在する場合には、システム管理部１３４は、ニュースデータと現在時刻に基づいて当該ニュースデータを、データ通信制御部１３１を介して携帯通信端末装置１１０に送信して（ステップＳ２４）本動作を終了させる。
【０１４３】
具体的には、システム管理部１３４は、ニュースデータのカテゴリ情報と時刻情報に基づいて、現在時刻以降の当該ニュースデータのテキストデータを送信するとともに、当該ニュースデータに配信予定時刻情報が添付されているときは、当該配信予定時刻情報も携帯通信端末装置１１０に送信する。
【０１４４】
以上により、本実施形態では、携帯通信端末装置１１０の起動に基づいて、ユーザに配信するための複数のニュースデータを有する情報提供用サーバ装置１３０との通信回線１４０を確立する際に、他の携帯通信端末装置１１０との識別を行う予め設定された識別情報を情報提供用サーバ装置１３０に送信し、当該識別情報に基づいてニュースデータが当該情報提供用サーバ装置１３０から送信された場合に、情報提供用サーバ装置１３０から送信されたニュースデータを取得する。
【０１４５】
したがって、携帯通信端末装置１１０の起動後に、情報提供用サーバ装置１３０との通信回線１４０の確立および当該ニュースデータの取得にあたりユーザが一切の操作を行うことなく、携帯通信端末装置１１０が各携帯通信端末装置１１０毎にユーザの所望するニュースデータを取得することができるとともに、ユーザは携帯通信端末装置１１０を介して容易にかつ的確にニュースデータを取得することができる。
【０１４６】
なお、本実施形態では、接続取得動作をデータ通信部１１１、データ通信制御部１３１、システム制御部１２０およびシステム管理部１３４などによって実行するようになっているが、当該接続取得動作を規定するプログラムが記録された記録媒体と、それを読み取るコンピュータと、を備え、このコンピュータで当該プログラムを読み込むことによって上述と同様の接続取得動作を行うようにしてもよい。
【０１４７】
また、本実施形態では、携帯通信端末装置に配信情報を格納し、その情報に基づいてニュースデータの配信を禁止する時間帯を判断するようになっているが、配信情報を情報提供用サーバ装置に予め設定し、ユーザカテゴリ情報が設定されていない時間帯において携帯通信端末装置と情報提供用サーバ装置との通信回線が確立されたとしても、当該情報提供用サーバ装置がニュースデータを配信しないようにしてもよい。
【０１４８】
また、本実施形態では、携帯通信端末装置に配信するデータとしてニュースデータを配信するようになっているが、勿論、これに限る必要はなく、予め会員登録している会員や会社の社員など特定のグループに提供される情報を配信するようにしてもよい。
【図面の簡単な説明】
【０１４９】
【図１】本発明に係る通信システムの概要構成を示す概要構成図である。
【図２】本発明に係る携帯端末装置の概要構成を示すブロック図である。
【図３】本発明に係る情報提供用サーバ装置の概要構成を示すブロック図である。
【図４】一実施形態における情報提供用サーバ装置に格納されている配信情報のイメージ図である。
【図５】一実施形態における情報提供用サーバ装置に格納されているニュースデータの構成を示す一例である。
【図６】一実施形態における通信システムのニュースデータの接続取得動作を示すフローチャートである。
【符号の説明】
【０１５０】
１００  …  通信システム
１１０  …  携帯通信端末装置
１１１  …  データ通信部
１１２  …  音声出力制御部
１１３  …  スピーカ
１１６  …  起動検出部
１１７  …  データ格納部
１１８  …  表示部
１２０  …  システム制御部
１３０  …  情報提供用サーバ装置
１３１  …  データ通信制御部
１３２  …  データベース
１３４  …  システム管理部
１４０  …  通信回線
【図１】
2005197877.tif 000003
【図２】
2005197877.tif 000004
【図３】
2005197877.tif 000005
【図４】
2005197877.tif 000006
【図５】
2005197877.tif 000007
【図６】
2005197877.tif 000008